(57)【要約】【課題】機器の仕様を満足しかつ安価なチップセットを使用して複数の表示装置をサポートすることができる電子機器および回路基板を提供する。【解決手段】第１表示信号を生成する生成回路と、生成された第１表示信号に基づいて各種情報を表示する装置であって、第１表示信号のターミネーション抵抗を搭載する第１表示装置が接続される第１コネクタと、生成された第１表示信号を当該第１表示信号とは異なる第２表示信号に変換する変換回路と、変換された第２表示信号に基づいて各種情報を表示する装置であって、第２表示信号のターミネーション抵抗を搭載しない第２表示装置が接続される第２コネクタと、生成回路から第１コネクタおよび変換回路へ第１表示信号を転送する信号ラインと、信号ラインの送信側に搭載された第１ターミネーション抵抗と、信号ラインの受信側に搭載され、オン／オフ可能な第２ターミネーション抵抗と、第１コネクタに第１表示装置が接続された場合に、第２ターミネーション抵抗をオフにするオン／オフ回路と、を備える。【選択図】図１
2011053426.tif 000002
【特許請求の範囲】
【請求項１】
第１表示信号を生成する生成回路と、
生成された前記第１表示信号に基づいて各種情報を表示する装置であって、前記第１表示信号のターミネーション抵抗を搭載する第１表示装置が接続される第１コネクタと、
生成された前記第１表示信号を当該第１表示信号とは異なる第２表示信号に変換する変換回路と、
変換された前記第２表示信号に基づいて各種情報を表示する装置であって、前記第２表示信号のターミネーション抵抗を搭載しない第２表示装置が接続される第２コネクタと、
前記生成回路から前記第１コネクタおよび前記変換回路へ前記第１表示信号を転送する信号ラインと、
前記信号ラインの送信側に搭載された第１ターミネーション抵抗と、
前記信号ラインの受信側に搭載され、オン／オフ可能な第２ターミネーション抵抗と、
前記１コネクタに前記第１表示装置が接続された場合に、前記第２ターミネーション抵抗をオフにするオン／オフ回路と、
を備えたことを特徴とする電子機器。
【請求項２】
前記オン／オフ回路は、前記第１コネクタに前記第１表示装置が接続された場合に、前記第２ターミネーション抵抗を前記信号ラインから切り離して、前記第２ターミネーション抵抗をオフすることを特徴とする請求項１に記載の電子機器。
【請求項３】
前記第１コネクタへの前記第１表示装置のケーブルの接続および前記第２コネクタへの前記第２表示装置のケーブルの接続を認識する認識回路を備え、
前記オン／オフ回路は、前記第１コネクタへの前記第１表示装置のケーブルの接続が認識された場合に、前記第２ターミネーション抵抗をオフすることを特徴とする請求項１または２に記載の電子機器。
【請求項４】
第１表示信号に基づいて各種情報を表示する装置であって、前記第１表示信号のターミネーション抵抗を搭載する第１表示装置が接続される第１コネクタと、
生成された前記第１表示信号を当該第１表示信号とは異なる第２表示信号に変換する変換回路と、
変換された前記第２表示信号に基づいて各種情報を表示する装置であって、前記第２表示信号のターミネーション抵抗を搭載しない第２表示装置が接続される第２コネクタと、
前記第１コネクタおよび前記変換回路へ前記第１表示信号を転送する信号ラインと、
前記信号ラインの送信側に搭載された第１ターミネーション抵抗と、
前記信号ラインの受信側に搭載され、オン／オフ可能な第２ターミネーション抵抗と、
前記第１コネクタに前記第１表示装置が接続された場合に、前記第２ターミネーション抵抗をオフにするオン／オフ回路と、
を備えたことを特徴とする回路基板。
【請求項５】
前記オン／オフ回路は、前記第１コネクタに前記第１表示装置が接続された場合に、前記第２ターミネーション抵抗を前記信号ラインから切り離して、前記第２ターミネーション抵抗をオフすることを特徴とする請求項４に記載の回路基板。
【請求項６】
前記第１コネクタへの前記第１表示装置のケーブルの接続および前記第２コネクタへの前記第２表示装置のケーブルの接続を認識する認識回路を備え、
前記オン／オフ回路は、前記第１コネクタへの前記第１表示装置のケーブルの接続が認識された場合に、前記第２ターミネーション抵抗をオフすることを特徴とする請求項４または５に記載の回路基板。
【発明の詳細な説明】
【技術分野】
【０００１】
本発明は、ＶＧＡコントローラを搭載した電子機器および回路基板に関する。
【背景技術】
【０００２】
アナログＲＧＢは、古くからＰＣ（Personal  Computer）の表示出力に用いられ、広く普及しているため、ＰＣの表示出力を制御するＶＧＡ（Video  Graphics  Array）コントローラで必ずサポートされている。また、多くのノートＰＣに接続することができる表示器の殆どが、アナログＲＧＢである。
【０００３】
ところで、近年、ＩＣを安価に提供するために、ＩＣのダイサイズが小型化されている。具体的には、ＩＣメーカーは、ダイサイズを小型化するために、ＩＣで実行されるプロセスを細分化するとともに、小型モバイルＰＣ向けのパッケージの小型化および省電力化のために、細分化した各プロセスを実現する機能の絞り込みを行い、必要最小限の機能のみを搭載するようにしている。例えば、ＣＰＵ（Central  Processing  Unit）、メモリコントローラ、およびＶＧＡコントローラを１チップに統合したものがある。このようなＩＣは、安価である反面、使用できる機能が限られているため、製品によってはその仕様を満足することができない場合もある。
【０００４】
また、ＰＣ向けのＶＧＡコントローラは、チップセットに内蔵され、特に、モバイルＰＣの場合、本体のＬＣＤ（Liquid  Crystal  Display）用の出力および外部モニタ用の出力だけがあれば必要十分である。一般に、本体のＬＣＤ用の出力には、ＬＶＤＳ（Low  Voltage  Differential  Signaling）を使用し、外部モニタ用の出力には、アナログＲＧＢを使用するものとする。この場合、チップセットに内蔵されたＶＧＡコントローラは、ＬＶＤＳとアナログＲＧＢだけの２ポートのみをサポートしている。
【０００５】
ところで、上述したようなＶＧＡコントローラを有する電子機器の設計を変更することがある。例えば、電子機器の仕様を、モバイルＰＣと同じ設計（ＶＧＡコントローラがＬＶＤＳとアナログＲＧＢだけの２ポートしかサポートしていない）で、ＬＶＤＳとＬＶＤＳで使用することができるようにする設計変更である。この場合は、アナログＲＧＢからＬＶＤＳに変換するＩＣを搭載することにより、その仕様を満足することができる（特許文献１参照）。
【発明の概要】
【発明が解決しようとする課題】
【０００６】
しかし、ＬＶＤＳとアナログＲＧＢで使用する場合とＬＶＤＳとＬＶＤＳで使用する場合とを含む仕様を同じ機器で実現するためには、インピーダンス整合を行うために、高価なスイッチＩＣを搭載してアナログＲＧＢとＬＶＤＳとを切り替える必要があり、かつスイッチＩＣを搭載すると電力と機器内のスペースが必要となる、という課題がある。
【０００７】
本発明は、上記に鑑みてなされたものであって、機器の仕様を満足しかつ安価なチップセットを使用して複数の表示装置をサポートすることができる電子機器および回路基板を提供することを目的とする。
【課題を解決するための手段】
【０００８】
上述した課題を解決し、目的を達成するために、本発明は、第１表示信号を生成する生成回路と、生成された前記第１表示信号に基づいて各種情報を表示する装置であって、前記第１表示信号のターミネーション抵抗を搭載する第１表示装置が接続される第１コネクタと、生成された前記第１表示信号を当該第１表示信号とは異なる第２表示信号に変換する変換回路と、変換された前記第２表示信号に基づいて各種情報を表示する装置であって、前記第２表示信号のターミネーション抵抗を搭載しない第２表示装置が接続される第２コネクタと、前記生成回路から前記第１コネクタおよび前記変換回路へ前記第１表示信号を転送する信号ラインと、前記信号ラインの送信側に搭載された第１ターミネーション抵抗と、前記信号ラインの受信側に搭載され、オン／オフ可能な第２ターミネーション抵抗と、前記１コネクタに前記第１表示装置が接続された場合に、前記第２ターミネーション抵抗をオフにするオン／オフ回路と、を備えたことを特徴とする。
【０００９】
また、本発明は、第１表示信号に基づいて各種情報を表示する装置であって、前記第１表示信号のターミネーション抵抗を搭載する第１表示装置が接続される第１コネクタと、生成された前記第１表示信号を当該第１表示信号とは異なる第２表示信号に変換する変換回路と、変換された前記第２表示信号に基づいて各種情報を表示する装置であって、前記第２表示信号のターミネーション抵抗を搭載しない第２表示装置が接続される第２コネクタと、前記第１コネクタおよび前記変換回路へ前記第１表示信号を転送する信号ラインと、前記信号ラインの送信側に搭載された第１ターミネーション抵抗と、前記信号ラインの受信側に搭載され、オン／オフ可能な第２ターミネーション抵抗と、前記第１コネクタに前記第１表示装置が接続された場合に、前記第２ターミネーション抵抗をオフにするオン／オフ回路と、を備えたことを特徴とする。
【発明の効果】
【００１０】
本発明にかかる電子機器および回路基板は、機器の仕様を満足しかつ安価なチップセットを使用して複数の表示装置をサポートすることができる、という効果を奏する。
【図面の簡単な説明】
【００１１】
【図１】図１は、本発明の一実施の形態にかかる電子機器のハードウェア構成を示すブロック図である。
【発明を実施するための形態】
【００１２】
以下に添付図面を参照して、この発明にかかる電子機器および回路基板の最良な実施の形態を詳細に説明する。
【００１３】
図１は、本発明の一実施の形態にかかる電子機器のハードウェア構成を示すブロック図である。本実施の形態にかかる電子機器１００は、例えばパーソナルコンピュータであり、ＬＣＤ（Liquid  Crystal  Display）１〜３（２００，３００，４００）に各種情報を表示させる表示機能を有しているものとする。以下の説明では、電子機器１００の表示機能に係る回路基板の構成について説明する。
【００１４】
ＣＰＵ（Central  Processing  Unit）１０１は、電子機器１００の主要部であって各部を集中的に制御するものであり、後述するメモリ１０２をコントロールするメモリコントローラ（図示しない）および表示機能を提供するＶＧＡ（Video  Graphics  Array）コントローラ１０３を備えている。また、ＣＰＵ１０１には、電子機器１００へのＩ／ＯをコントロールするＩ／Ｏコントローラ１０４、各種データを書換え可能に機能するＲＡＭ（Random  Access  Memory）などのメモリ１０２などが接続されている。
【００１５】
Ｉ／Ｏコントローラ１０４には、シリアル入出力を行うＳＩＯ（Serial  Input/Output）１０５、ＢＩＯＳなどを記憶した読み出し専用メモリであるＲＯＭ（Read  Only  Memory）１０６、拡張バスであるＰＣＩ（Peripheral  Component  Interconnect）１０７、補助記憶装置であるＨＤＤ（Hard  Disk  Drive）１０８、マウスやキーボードなどの外部機器を接続するＵＳＢ（Universal  Serial  Bus）１０９などが接続されている。
【００１６】
ＶＧＡコントローラ１０３は、アナログＲＧＢ信号（第１表示信号）やＬＶＤＳ信号を生成するものであり、生成したアナログＲＧＢ信号およびＬＶＤＳ信号を出力するアナログＲＧＢ１０３ｂ、ＬＶＤＳＩ／Ｆ１０３ａを有している。
【００１７】
また、電子機器１００は、ＬＣＤ１〜３（２００，３００，４００）が接続されるコネクタ１１０，１１１，１１２を備えている。コネクタ１１０は、ＶＧＡコントローラ１０３で生成されたＬＶＤＳ信号に基づいて各種情報を表示するＬＣＤ１（２００）が接続される。
【００１８】
コネクタ１１１（第１コネクタ）は、ＶＧＡコントローラ１０３で生成されたアナログＲＧＢ信号に基づいて各種情報を表示する装置であって、アナログＲＧＢ信号のターミネーション抵抗（図示しない）を搭載するＬＣＤ２（３００）が接続される。なお、ＬＣＤ２（３００）は、本発明の第１表示装置に相当する。
【００１９】
コネクタ１１２（第２コネクタ）は、後述するＲＧＢ−ＬＶＤＳ変換回路で変換されたＬＶＤＳ信号に基づいて各種情報を表示する装置であって、ＬＶＤＳ信号のターミネーション抵抗を搭載しないＬＣＤ３（４００）が接続される。なお、ＬＣＤ３（４００）は、本発明の第２表示装置に相当する。
【００２０】
ユーザは、このコネクタ１１１およびコネクタ１１２のいずれか一方に、ＬＣＤ２（３００）またはＬＣＤ３（４００）に接続することにより、ＶＧＡコントローラ１０３で生成されたアナログＲＧＢ信号に基づく各種情報の表示を行うことができる。
【００２１】
ＲＧＢ−ＬＶＤＳ変換回路１１３は、ＶＧＡコントローラ１０３で生成されたアナログＲＧＢ信号を、当該アナログＲＧＢ信号とは異なるＬＶＤＳ信号（第２表示信号）に変換するものである。
【００２２】
ＬＶＤＳ  Ｉ／Ｆライン１１４は、ＬＶＤＳ信号を出力するＬＶＤＳＩ／Ｆ１０３ａとコネクタ１１０とをケーブル接続するものであり、ＶＧＡコントローラ１０３からコネクタ１１０へＬＶＤＳ信号を転送する信号ラインである。
【００２３】
アナログＲＧＢ  Ｉ／Ｆライン１１５は、アナログＲＧＢ信号を出力するアナログＲＧＢＩ／Ｆ１０３ｂとコネクタ１１１およびＲＧＢ−ＬＶＤＳ変換回路１１３とをケーブル接続するものであり、ＶＧＡコントローラ１０３からコネクタ１１１およびＲＧＢ−ＬＶＤＳ変換回路１１３へアナログＲＧＢ信号を転送する信号ラインである。
【００２４】
また、アナログＲＧＢ  Ｉ／Ｆライン１１５の送信側には、ターミネーション抵抗１１６が搭載されている。なお、ターミネーション抵抗は、送受側にそれぞれ１個ずつ搭載する必要がある。そのため、アナログＲＧＢ  Ｉ／Ｆライン１１５の受信側には、オン／オフ可能なターミネーション抵抗１１７が搭載されている。
【００２５】
ここで、アナログＲＧＢ  Ｉ／Ｆライン１１５の受信側に搭載したターミネーション抵抗１１７をオン／オフ可能とした理由について説明する。
【００２６】
コネクタ１１１にＬＣＤ２（３００）を接続する場合、アナログＲＧＢ  Ｉ／Ｆライン１１５の受信側のターミネーション抵抗は、ＬＣＤ２（３００）内に搭載されている。仮に、ＬＣＤ２（３００）内にターミネーション抵抗が搭載されているにも関わらず、アナログＲＧＢ  Ｉ／Ｆライン１１５にターミネーション抵抗１１６およびターミネーション抵抗１１７の両方を搭載してしまうと、アナログＲＧＢ  Ｉ／Ｆライン１１５の送信側に２個のターミネーション抵抗が搭載されることになり、インピーダンス整合が取れなくなる。そのため、コネクタ１１１にＬＣＤ２（３００）を接続した場合、ターミネーション抵抗１１７をオフする必要がある。
【００２７】
一方、コネクタ１１２にＬＣＤ３（４００）を接続する場合、アナログＲＧＣ  Ｉ／Ｆライン１１５の受信側のターミネーション抵抗は、ＲＧＢ−ＬＶＤＳ変換回路１１４（またはＬＣＤ３（４００））内に搭載されていない。そのため、コネクタ１１２にＬＣＤ３（４００）を接続した場合、ターミネーション抵抗１１７をオンする必要がある。
【００２８】
図１に戻り、挿抜認識回路１１８は、ＧＮＤに接続され、コネクタ１１１またはコネクタ１１２へのＬＣＤ２（３００）またはＬＣＤ３（４００）のケーブルの接続を認識するものである。挿抜認識回路１１８は、コネクタ１１１にＬＣＤ２（３００）のケーブルが接続された場合、ＲＥＳＥＴ信号をＲＧＢ−ＬＶＤＳ変換回路１１４に出力する。これにより、コネクタ１１１にＬＣＤ２（３００）が接続された場合には、コネクタ３（４００）を使用しないため、ＲＧＢ−ＬＶＤＳ変換回路１１４をリセットして消費電力を下げている。また、挿抜認識回路１１８は、コネクタ１１１へのＬＣＤ２（３００）のケーブルの接続を認識した場合、ＬｏｗをターミネーションＯＮ／ＯＦＦ回路１１９に出力し、コネクタ１１２へのＬＣＤ３（４００）のケーブルの接続を認識した場合、ＨｉｇｈをターミネーションＯＮ／ＯＦＦ回路１１９に出力する。
【００２９】
ターミネーションＯＮ／ＯＦＦ回路１１９は、ＧＮＤに接続されたＦＥＴ（Field  Effect  Transistor）であり、挿抜認識回路１１８からＬｏｗが入力された場合（つまり、コネクタ１１１へのＬＣＤ２（３００）の接続が認識された場合）、ターミネーション抵抗１１７をアナログＲＧＢ  Ｉ／Ｆライン１１５から切り離して、当該ターミネーション抵抗１１７をオフする。
【００３０】
一方、ターミネーション抵抗ＯＮ／ＯＦＦ回路１１９は、挿抜認識回路１１８からＨｉｇｈが入力された場合（つまり、挿抜認識回路１１８によりコネクタ１１２へのＬＣＤ３（４００）の接続が認識された場合）、ターミネーション抵抗１１７をアナログＲＧＢ  Ｉ／Ｆライン１１５に接続して、当該ターミネーション抵抗１１７をオンする。
【００３１】
このように本実施の形態にかかる電子機器１００によれば、アナログＲＧＢ信号を生成するＶＧＡコントローラ１０３と、生成されたアナログＲＧＢ信号に基づいて各種情報を表示する装置であって、当該アナログＲＧＢ信号のターミネーション抵抗を搭載するＬＣＤ２（３００）が接続されるコネクタ１１１と、生成されたアナログＲＧＢ信号をＬＶＤＳ信号に変換するＲＧＢ−ＬＶＤＳ変換回路１１３と、変換されたＬＶＤＳ信号に基づいて各種情報を表示する装置であって、当該ＬＶＤＳ信号のターミネーション抵抗を搭載しないＬＣＤ３（４００）が接続されるコネクタ１１２と、ＶＧＡコントローラ１０３からコネクタ１１１およびＲＧＢ−ＬＶＤＳ変換回路１１３へアナログＲＧＢ信号を転送するアナログＲＧＢ  Ｉ／Ｆライン１１５と、アナログＲＧＢ  Ｉ／Ｆライン１１５の送信側に搭載されたターミネーション抵抗１１６と、アナログＲＧＢ  Ｉ／Ｆライン１１５の受信側に搭載され、オン／オフ可能なターミネーション抵抗１１７と、コネクタ１１１にＬＣＤ２（３００）が接続された場合に、ターミネーション抵抗１１７をオフにするターミネーションＯＮ／ＯＦＦ回路１１９と、を備えることにより、ＬＶＤＳとアナログＲＧＢで使用する場合とＬＶＤＳとＬＶＤＳで使用する場合とを含む仕様を電子機器１００で実現する場合に、アナログＲＧＢとＬＶＤＳとを切り替えるための高価なスイッチＩＣを搭載することなくインピーダンス整合を行うことができるので、電子機器１００の仕様を満足しかつ安価なチップセットを使用して複数のＬＣＤ１〜３（２００，３００，４００）をサポートすることができる。
【符号の説明】
【００３２】
１００  電子機器
１０３  ＶＧＡコントローラ
１１１，１１２  コネクタ
１１３  ＲＧＢ−ＬＶＤＳ変換回路
１１５  アナログＲＧＢ  Ｉ／Ｆライン
１１６，１１７  ターミネーション抵抗
１１８  挿抜認識回路
１１９  ターミネーションＯＮ／ＯＦＦ回路
３００  ＬＣＤ２
４００  ＬＣＤ３
【先行技術文献】
【特許文献】
【００３３】
【特許文献１】特開平１１−８８６５号公報
【図１】
2011053426.tif 000003